(57)【要約】      （修正有）【課題】金貨等のコイン類を傷付けずに保持してペンダント等の飾りとして安心して用いることができる吊下げ用枠体を提供する。【解決手段】枠本体がその下部にコイン類の下方の縁部を係止するための下方嵌合溝とコイン類に付勢力を付与するための板バネを形成しており、上部には前壁面４と背壁面５の間にコイン類の出入用の口部となる空間部３を形成する。枠本体の左右側方に前記空間部に嵌め込まれて上方嵌合溝を形成する加圧部を備えた一対の開閉アーム部６を枢着しておき、該開閉アームの先端に設けた連結部９の基部を幅広に設定して開閉アームを閉じた開閉アームを所定位置に拘束して、コイン類を所定の姿勢に保持することができる様にする。【選択図】図２
0003173835.tif 000002
【実用新案登録請求の範囲】
【請求項１】
枠本体が環状枠からなっており、
該枠本体の上下方向の中央位置に左右外方へそれぞれ突出する一対のブラケットを設け、
該ブラケットより下方の枠本体下部が内周面の厚み方向の略中央にコイン類の縁部を係止するための下方嵌合溝を形成しており、
前記枠本体の上半分が、前記下方嵌合溝の延長部分を空間部として枠本体の前壁面と背壁面とが空間部を介して対峙するように形成されており、
前記一対のブラケットに基端が枢着され、前記空間部に嵌合する幅に設定されると共に外周面が枠本体の上半分の外周面と一致する湾曲形状に形成されており、内周面が前記嵌合溝の底壁面と連続する曲面で湾曲して枠本体の頂部まで延びる一対の開閉アーム部と、
該開閉アーム部の先端で上方へ突出すると共に、側方に貫通してチェーンやリング等の接続部材を通すための孔部を備えた連結部を形成しており、
該連結部は、開閉アームの外周面上の連結部の基部の幅が、開閉アーム部の幅より広く設定されて前壁面または背壁面まで延びて段差部となっており、
前記開閉アーム部を枠本体の上半分に沿って閉じた際に、開閉アーム部の内周面が枠本体の上半分に形成される上方嵌合溝の底壁面に相当してなり、
前記開閉アーム部を閉じて一対の連結部が重なった位置で連結部間を拘束する拘束部材を設けてなることを特徴とする吊下げ用枠体。
【請求項２】
連結部の幅が、開閉アーム部の幅より広く設定されて前壁面または背壁面まで延びていることを特徴とする請求項１に記載の吊下げ用枠体。
【請求項３】
枠本体が円形の環状体からなっており、下方嵌合溝と上方嵌合溝が収納する円形のコイン類の全周の縁部を嵌合しうることを特徴とする請求項１または２に記載の吊下げ用枠体。
【考案の詳細な説明】
【技術分野】
【０００１】
本考案は、金貨やプレート状の貴金属のインゴット等のコイン類を傷付けずに保持してペンダント等の飾りとすることができる吊下げ用枠体に関するものである。
【背景技術】
【０００２】
コイン類を保持してペンダントの飾りとする枠体として、従来、実開昭６０−１４２６１６号では、断面凹形の環状体からその上半分の断面Ｌ形の半円形部分を分断してこれを開閉枠として分断された下半部上端にヒンジにて外側下方に回動可能に連結し、この開閉枠の頂部に吊環を突設し、この吊環に対向して環状枠の頂部に前記吊環を弾性的に嵌合挟持するクランプ式吊環をヒンジにて回動可能に連結したペンダント枠が開示されている。
しかし、上記構成では、開閉枠が分断された下半部上端にヒンジにて外側下方に回動可能に連結されるので、ヒンジ部分が枠体中央の正面で外向きに突設する必要があり、枠体の美感が損なわれる。
更に、クランプ式吊環を設ける必要があり構造が複雑化するという問題点があり、また、ヒンジ部はコイン類の正面と接しうる位置に配置されおり、開閉枠もコイン類の正面側から閉じる構成となっているので、コイン類が正確に位置決めされていないと開閉枠を閉じる際にコイン類とぶつかりコイン類に傷がついて資産価値が減ずる虞れもある。
そこで、例えば、実用新案登録第３００３４８５号のように枠全体が左右側方に開くようにヒンジ部を下端中央に設ける構造もあるが、コイン類の嵌合に際してコイン類の直径以上に大きく開放する必要があり、コイン類を嵌合する枠が下端中央が飛び出すと共にコイン類よりも曲率半径が大きくなって、コイン類を嵌め込みにくくなるという不具合がある。
更に、コイン類を収納する部分がコイン類の外周に沿った形状に形成されていると、保持されたコイン類が収納個所の僅かな隙間で外周方向に回転してしまい一定位置に保持できないという欠点があった。
【先行技術文献】
【特許文献】
【０００３】
【特許文献１】実開昭６０−１４２６１６号公報
【特許文献２】実用新案登録３００３４８５号公報
【考案の概要】
【考案が解決しようとする課題】
【０００４】
この考案の解決しようとする問題点は、コイン類の収納に際して位置決めが容易であって、且つ収納に際してもコイン類の収納位置を一定に保持することができる吊下げ用枠体を提供することにある。
【課題を解決するための手段】
【０００５】
本考案は、上記課題を解決するために、請求項１の考案では、
枠本体が環状枠からなっており、
該枠本体の上下方向の中間位置より下方の枠本体下部が内周面の厚み方向の略中央にコイン類の縁部を係止するための下方嵌合溝を形成しており、
該下方嵌合溝内に凹部を設け、該凹部に中央が上向きに突出し、下方へ押圧されると表面が嵌合溝の溝底面と一連になるように撓みうる円弧状の板バネを配置し、該板バネの両端を弾性復帰可能に係止しておき、
前記枠本体の上半分が、前記下方嵌合溝の延長部分を空間部として枠本体の前壁面と背壁面とが空間部を介して対峙するように形成されており、
前記空間部に嵌合する幅に設定されると共に外周面が枠本体の上半分の外周面と一致する形状に形成され、内周面が前記下方嵌合溝と連続して枠本体の上部中央まで延びて基端が枠本体に枢着される一対の開閉アーム部と、
該開閉アーム部の内面で前記板バネに対向する位置で内方へ突出し、嵌合溝に収納されたコイン類を押圧する加圧部と、
枠本体に接続部材を連結するための連結部とを有してなることを特徴とする。
また、請求項２の発明では、
連結部が、開閉アーム部の先端で上方へ突出すると共に、側方に貫通してチェーンやリング等の接続部材を通すための孔部を備えた連結部を形成しており、
該突片部は、開閉アームの外周面上の突片部の基部の幅が、開閉アーム部の幅より広く設定されて前壁面または背壁面まで延びて段差部となっており、
前記開閉アーム部を枠本体の上半分に沿って閉じた際に、開閉アーム部の内周面が枠本体の上半分に形成される上方嵌合溝の底壁面に相当してなり、
前記開閉アーム部を閉じて一対の突片部が重なった位置で突片部間を拘束する拘束部材を設けてなることを特徴とする。
また、請求項３の考案では、
前記突片部の幅が、開閉アーム部の幅より広く設定されて前壁面または背壁面まで延びていることを特徴とする。
請求項４の考案では、枠本体が、表裏一対の環状プレートと、環状プレートに枢着ピンで枢着される一対の開閉アーム部と、開閉アーム部の枢着位置の下方に配置されて、板バネを設けて前記環状プレートとの間で嵌合溝を形成する下部固定部材とからなっており、環状プレートと下部固定部材とが左右一対の固定ピンによって一体的に固定されてなることを特徴とする。
【考案の効果】
【０００６】
本考案のペンダント用枠体は、枠本体下部がコイン類の縁部を係止するための下方嵌合溝を有しているので、一対の開閉アーム部を開き、コイン類を下方嵌合溝に挿入するだけで、コイン類の枠本体下部は枠本体枠本体下部の下方嵌合溝に拘束され、上半分は枠本体上半分の前壁部と背壁部で拘束されるので、正確な位置にコイン類を位置決めすることができる。
そして、一対の開閉アーム部を閉じると、加圧部が収納されたコイン類を板バネ方向に押し下げ、コイン類を上向きに付勢した状態で嵌合溝内に収納することができる。
これにより枠本体に収納されたコイン類を一定姿勢で保持することができ、コイン類が傾いたり回転したりすることがない。
【図面の簡単な説明】
【０００７】
【図１】実施例１のペンダント用枠体の正面図である。
【図２】同斜視図である。
【図３】図中左半分が開閉アーム部を開いた枠本体の断面図，右半分が閉じた正面図である。
【図４】開閉アーム部を閉じた状態の断面図である。
【図５】同コイン類の収納状態を示す断面図である。
【図６】アーム部を開いてコイン類を挿入する状態の斜視図である。
【図７】実施例２の枠本体の開閉アーム部を閉じた状態の断面図である。
【図８】同コイン類の収納状態を示す断面図である。
【考案を実施するための形態】
【０００８】
以下に、この考案の吊下げ用枠体を金貨用ペンダントの枠体に適用した好適実施例について図面を参照しながら説明する。
【実施例１】
【０００９】
［ペンダント用枠体］
ペンダント用枠体１０は、図１から図５に示すように、円形の環状枠からなる枠本体１と、該枠本体１の中央で左右一対に基端が枢着されてコイン類Ｃを出入させる空間部３を開閉する一対の開閉アーム部６を有しており、チェーンやリングなどの吊下げ用接続部材２０を連結部９に接続しうる構成となっている。
【００１０】
［枠本体］
枠本体１は、本実施例の場合、表裏一対の環状プレート１０Ａ、１０Ｂと、該環状プレート１０Ａ、１０Ｂの間に挿入され枢着ピンＰ１で枢着される一対の開閉アーム部６と、該開閉アーム部６の枢着部２の下方で後述の板バネ１５を設けて前記一対の環状プレート１０Ａ、１０Ｂとの間に固定されて下方嵌合溝１３を形成する下部固定部材１２とを組み合わせた構成からなっている（図２、図３参照）。
【００１１】
そのため、表裏の環状プレート１０Ａ、１０Ｂに一対の開閉アーム部６を枢軸ピンＰ１で枢着し、表裏の環状プレート１０Ａ、１０Ｂに下部固定部材１２を左右一対の固定ピンＰ２によって一体的に固定することで、組み立てることができる。
この発明では、枠本体１は上記分割部品を組み立てる構成に限らず、他の分割構成された部品を組み立てて一体的に構成されるものであってもよい。
［枠本体下部］
【００１２】
前記枠本体１の上下方向の中央位置の直径方向で、左右一対の枢着部２が形成されている。
即ち、前記一対の開閉アーム部６の基端がそれぞれ枢軸ピンＰ１により表裏の環状プレート１０Ａ、１０Ｂの中央位置の左右で枢着されている。
そして前記枢着部２より下方の枠本体下部１Ｂには、前記表裏の環状プレート１０Ａ、１０Ｂの間に下部固定部材１２が一体的に固着されている。
【００１３】
該下部固定部材１２には、表裏の環状プレート１０Ａ、１０Ｂの間に挟まれて断面凹状となる下方嵌合溝１３と、上向きに湾曲する板バネ１５を備え前記下方嵌合溝１３の溝底面より下方に窪む凹部１４とが形成されている。
従って、図示例では凹部１４の左右両側に段差を介して下方嵌合溝１３が一対に形成されている（図３、図４参照）。
［板バネ］
【００１４】
前記凹部１４内には、負荷がかからない状態では、中央が凹部１４上の下方嵌合溝１３の溝底面の想定軌跡を超えて上方に突出しており、凹部１４の下方へ押圧されると表面が少なくとも下方嵌合溝１３の溝底面の想定軌跡と一致するように撓みうる円弧状の板バネ１５が配置されている。
そして、該板バネ１５は、その両端を凹部１４と接する下方嵌合溝１３との段差壁に形成された板バネ保持孔１３ａに挿入されて係止されている。
【００１５】
［枠本体上部］
一方、前記枠本体の上半分の枠本体上部１Ａは、枠本体上部１Ａにおいて前壁面４となる表面側の環状プレート１０Ａと背壁面５となる裏面側の環状プレート１０Ｂとの上部に形成される空間部３を介して平行に対峙するように形成されている。
従って、前記空間部３がコイン類Ｃの出入用の開口となっている（図３、図６参照）。
そして、上記空間部３を塞ぐと共に、枠本体上部１Ａの前壁面４と背壁面５の間に挟まれて前記下方嵌合溝１３に対応する溝を形成するために一対の開閉アーム部６の基端が枢着部２により枢着されている。
【００１６】
［開閉アーム部］
前記開閉アーム部６は、本実施例の場合、空間部３に嵌合する幅に設定された略１／４円の円弧形状からなっている。
この開閉アーム部６の基部６ａは、略円盤状に形成されており、前記一対の環状プレート１０Ａ、１０Ｂの上下方向の略中央位置で枢軸ピンＰ１により枢着されており、各開閉アーム部６は枢軸ピンＰ１を支点にして枠本体上部１Ａから外方へ枢動しうるようになっている。
そして、開閉アーム部６の外周面６ｂは、該開閉アーム部６を枠本体上部１Ａに沿うように閉じた際に、枠本体上部１Ａの外周面（前記環状プレート１０Ａ、１０Ｂの外周面）と一致する曲率の円弧形状に形成されている。
【００１７】
また、開閉アーム部６のアーム内周面６ｃは、前記下方嵌合溝１３の底壁面３ａよりやや大径の円弧形状で湾曲しており、開閉アーム部６の先端寄りには下方に突出する加圧部８を突設している。
該加圧部８の内周面は、本実施例では前記下方嵌合溝１３の底壁面と同心円の軌跡上で一致する円弧形成に形成されている。
この加圧部８は、下方嵌合溝１３に収納されたコイン類Ｃを押し下げるものであり、その内周面のコイン類Ｃとの接触面積は狭くてもよいが、接触面積が広くなるよう延ばしてコイン類Ｃの接触個所にかかる負荷を分散させることが好ましい。
【００１８】
本実施例では、加圧部８は開閉アーム部６の先端に設けたが、板バネ１５と対向する位置であれば先端に限定されない。
また、一対の開閉アーム部６の先端にそれぞれ加圧部８を設けたが一方だけに設けるものでもよい。
その場合、一方の開閉アーム部６の先端に設けた加圧部８が一方の開閉アーム部６を超えて他方の開閉アーム部６の内周面に沿って延びる形状としてもよい。
【００１９】
これにより、加圧部８の内周面は、前壁面４と背壁面５とに挟まれて上方嵌合溝１３’を形成する。
そして、上方嵌合溝１３’と下方嵌合溝１３とは、同一円の軌跡に沿った内周面（溝底面）に設定されており、コイン類Ｃを嵌め込むことができる。
【００２０】
［連結部］
前記各開閉アーム部６の先端には、上方へ突出する連結部９を一体に形成しており、該連結部９には、側方に貫通してチェーンやリング等の接続部材２０を通すための穴部９ａが穿設されている。
従って、一対の開閉アーム部６を閉じると、対向する開閉アーム部６の連結部９が略隙間無く整合し、前記各穴部９ａも揃って連通する（図５参照）。
【００２１】
そこで、前記整合した一対の連結部９が離間しないように、環状の拘束部材１９を連結部９の上から嵌め込んで拘束し、前記各連結部９の穴部９ａを揃え、連通した穴部９ａに接続部材２０を通すことで、拘束部材１９の抜け落ちを防ぎながら枠本体１を吊り下げることができる（図１参照）。
接続部材２０は、そのままチェーンを通してもよいが、リングを介してイヤリング、ネックレス、ブレスレット、ブローチ、髪飾り等の装飾品と接続してもよい。
【００２２】
前記連結部９は、開閉アーム部６の外周面６ｂ上で段差部９ｂを介して開閉アーム部６の幅より広い幅に設定されており、前壁面４および背壁面５の外周面と接する位置まで幅広に延びている（図６参照）。
従って、開閉アーム部６を枠本体上部１Ａの空間部３に沿って閉じた際に、前記段差部９ｂが前壁面４および背壁面５の外周面と衝合して、閉じた位置で拘束され、開閉アーム部６が上方嵌合溝１３’の位置を超えて下方に枢動しないように拘束している。
【００２３】
また、対向する開閉アーム部６のそれぞれの連結部９は略隙間無く接する。
そこで、前記開閉アーム部６を閉じて一対の連結部９が重なった位置で、拘束部材１９を通して連結部９間を拘束する。
拘束部材１９は、矩形の環状体からなっており、前記一対の連結部９の基端側まで外嵌する。
そして、拘束部材１９より上方に開口する穴部９ａに接続部材２０が通される。
これによって接続部材２０により拘束部材１９は抜け落ちず、開閉アーム部６を閉じた状態に維持することができる。
【００２４】
コイン類Ｃの出し入れに際しては、前記拘束部材１９を連結部９から外して、開閉アーム部６を外側にそれぞれ枢動させることで、空間部３を全開させる（図３、図６参照）。
ここで、開閉アーム部６は外側に略９０度回転した位置で下部固定部材１２の上端面に拘束される。
そして、枠本体１の中央の穴１ａからコイン類Ｃの表裏を摘んで空間部３から引き上げ、コイン類Ｃを枠本体１から取り出すことができる。
【００２５】
装着時は逆の手順で行われる。
即ち、開閉アーム部６を外側にそれぞれ枢動させた全開状態で、空間部３から前壁面４、背壁面５にガイドされながらコイン類Ｃの先端を差込み、下方嵌合溝１３に嵌め込む。
この際に、コイン類Ｃの下端は板バネ１５の中央の湾曲部分に接してやや浮き上がっている。
【００２６】
次いで、一対の開閉アーム部６を閉じて、前述のように連結部９に拘束部材１９を外嵌して拘束すると、押し下げられた加圧部８がコイン類Ｃの上端を、前記板バネ１５の付勢力に抗して押し下げ、コイン類Ｃの下部は下方嵌合溝１３の溝底面に嵌め込まれ、上部は加圧部８と衝合した状態で、枠本体１内に拘束される(図５参照）。
そして、前記穴部９ａに接続部材２０を通すことでペンダントとして使用することができる。
【００２７】
上記実施例１では、連結部９の幅の全体を開閉アーム部６より幅広に設定したが、連結部９の基部だけを幅広に形成して段差部９ｂとしてもよい。
また、段差部９ｂは前壁面４と背壁面５の双方の外周面と衝合するように形成したが、いずれか一方だけと衝合する構成でもよい。
更に、本実施例では円板状のコイン類Ｃを例に説明したが、楕円形や矩形などの任意の形状のコイン類Ｃであってもよく、その場合は、コイン類Ｃの外周形状に沿った輪郭の環状枠体であればよい。
【００２８】
また、本実施例で枢着部２は、環状プレート１０Ａ、１０Ｂ内に設けたが、図６に示すように環状プレート１０Ａ、１０Ｂに外側に突出する一対の軸受片１６を設け、該軸受片１６に開閉アーム部６の基部を枢軸ピンＰ１で枢着して枢着部２とする構成としてもよい。
図６の場合、その他の構成は前記実施例と同一である。
【００２９】
実施例２として、枠本体１が矩形のペンダント用枠体１０を図７，図８に示す。
この場合、下方嵌合溝１３は、略断面Ｌ字状に形成され、中央には一段低く窪む凹部１４が形成され、該凹部１４に円弧状の板バネ１５が配置され、両端が板バネ保持孔１３ａによって係止されている。
上記板バネ１５の隆起する中央は、左右の下方嵌合溝１３の溝底面より高い位置に設定されている。
【００３０】
このように本実施例では、枠本体１が円形から矩形に変更されたことに伴って異なる形状なったものに過ぎず、同一構成には同一符号を付して説明を省略する。
その他、要するにこの考案の要旨を変更しない範囲で種々設計変更しうること勿論である。
【符号の説明】
【００３１】
１    枠本体
１Ａ  枠本体上部
１Ｂ  枠本体下部
２    枢着部
３    空間部
４    前壁面
５    背壁面
６    開閉アーム部
８    加圧部
９    連結部
９ａ  段差部
１０    ペンダント用枠体
１０Ａ、１０Ｂ  環状プレート
１２    下部固定部材
１３    下方嵌合溝
１３’  上方嵌合溝
１３ａ  板バネ保持孔
１４    凹部
１５    板バネ
１６    軸受片
１９    拘束部材
２０    接続部材
【図１】
0003173835.tif 000003
【図２】
0003173835.tif 000004
【図３】
0003173835.tif 000005
【図４】
0003173835.tif 000006
【図５】
0003173835.tif 000007
【図６】
0003173835.tif 000008
【図７】
0003173835.tif 000009
【図８】
0003173835.tif 000010